(57)【要約】【課題】ポケット等に挿着したときに、本体軸後方の軸頭部の外部への突出を可及的に少なくし、外観の体裁を良好にし、かつクリップ開きによる挿着をワンタッチで容易に行えるようにする。【解決手段】クリップ４の後端部４ｂを、本体軸２後端の上面２ｃ後方から下面２ｄ前方に向けて回り込ませて、側面視ほぼ平仮名「つ」字状に形成する。クリップの後端部によって、本体軸後方に軸頭部１２を形成するとともに、下面前方に向けて回り込ませた折返し端部４ｄを第１操作摘み手Ａとする。本体軸の後端上面に固定突起１６を形成し、この固定突起を第２操作摘み手Ｂとする。第１操作摘み手と第２操作摘み手とを摘み持って、板ばね１５の付勢力に抗して、互いに挟圧する方向に押圧することにより、クリップを軸支部を支点として回動させて、クリップの少なくとも前端部４ａ側を本体軸の外周部上面から離間しうるようにする。【選択図】図４
2010046892.tif 000002
【特許請求の範囲】
【請求項１】
本体軸の外周部上面に、本体軸後端側から前方に向けて延びるクリップを配置するとともに、このクリップの後端部を本体軸に軸支して、付勢手段により、前記クリップの前端部側が本体軸の外周部上面に弾圧接状態となるように、クリップ閉じ方向に付勢したクリップ付き筆記具において、
クリップの後端部を、本体軸後端の上面後方から下面前方に向けて回り込ませることにより、側面視ほぼ平仮名「つ」字状に形成し、このクリップの後端部によって、本体軸後方に軸頭部を形成し、かつ前記下面前方に向けて回り込ませた折返し端部を第１操作摘み手とするとともに、本体軸の後端上面に固定突起を形成し、この固定突起を第２操作摘み手とし、かつ前記第１操作摘み手と第２操作摘み手とを摘み持って、前記付勢手段の付勢力に抗して、互いに挟圧する方向に押圧することにより、クリップを軸支部を支点として回動させて、前記クリップの少なくとも前端部側が本体軸の外周部上面から離間しうるようにしたことを特徴とするクリップ付き筆記具。
【請求項２】
第１操作摘み手を形成するクリップの折返し端部を、前方に向けて下降傾斜させた請求項１記載のクリップ付き筆記具。
【請求項３】
第２操作摘み手を形成する本体軸の後端上面における固定突起の上端部を、クリップに開口された通孔を貫通して、上方に向けて突出させた請求項１または２記載のクリップ付き筆記具。
【請求項４】
付勢手段を、本体軸の後端下面と、第１操作摘み手を形成するクリップの折返し端部との間に介装させた請求項１〜３のいずれかに記載のクリップ付き筆記具。
【請求項５】
固定突起に、左右方向に貫通しかつ上下方向に延びる長孔を設け、この長孔に、クリップの後端部が軸支される支軸を上下方向に摺動可能に挿通した請求項１〜４のいずれかに記載のクリップ付き筆記具。
【請求項６】
付勢手段のクリップに対する作用点を、支軸に軸支されたクリップ後端部の軸支点よりも本体軸後方側に位置させた請求項５記載のクリップ付き筆記具。
【請求項７】
本体軸の外周部上面に、クリップの前記外周部上面に対向する部分に対応する位置に、前後方向に向けて延びる平面部を、側面視において、本体軸の外周部をクリップのほぼ厚さ分だけ段差を設けて凹ませて形成するとともに、この平面部に、前記クリップの対向する部分を隙間なく当接させて、クリップが本体軸外周部の一部をなすようにした請求項１〜６のいずれかに記載のクリップ付き筆記具。
【発明の詳細な説明】
【技術分野】
【０００１】
本発明は、ボールペンやシャープペンシルなどのクリップ付き筆記具に関する。
【背景技術】
【０００２】
例えば、筆記具としてのボールペンには、一般に、本体軸の外周部に、不使用時に、服やワイシャツのポケット等に掛止め状態で挿着可能としたクリップが、その前端部側をばね等の付勢手段によって本体軸の外周部上面に弾圧接状態となるようにクリップ閉じ方向に付勢することにより、取り付けられている。
【０００３】
このようなクリップ付きボールペンにおいては、本願出願人が先に出願し公開された特許文献１に記載されるように、本体軸の長さを、筆記使用時に、指で摘み持ち可能な必要最短の長さ（例えば約９ｃｍ）とし、これに対してクリップを、本体軸に近似する長さ（例えば約６．５ｃｍ）としたものが公知である。
【０００４】
このようなボールペンの特徴は、不使用時に、クリップ開きをワンタッチで操作して、ポケット等に挿着した場合に、クリップによるポケット等への挿着範囲が大きくなって、ポケット等から簡単には外れ難くなり、紛失を可及的に防ぐことができる、というすぐれた効果を有する。
【０００５】
しかし、特許文献１記載のものでは、クリップ開きをワンタッチで容易に行えるようにするために、クリップ後端部を、本体軸の外周部上面に突設した軸支部材に軸支した開閉支点である軸支点よりも後方に延出させるとともに、付勢手段を、軸支部材の後方における本体軸の外周部上面とクリップの後端部の下面との間に介装していることから、クリップの軸支部分が、本体軸後端の軸頭部から前方に大きく離間した位置に配置されている。
このため、ポケット等への挿着時に、本体軸の軸頭部の相当部分が、ポケット等の開口端縁から外部に突出するために、外観の体裁が悪く、また、ポケット等からの物の出入れの邪魔になり易い。
【特許文献１】特開２００７−３０１７６４号公報
【発明の開示】
【発明が解決しようとする課題】
【０００６】
本発明は、上記の現状に鑑み、ポケット等に挿着したときに、本体軸後方における軸頭部の外部への突出を可及的に少なくし、外観の体裁を良好にするとともに、クリップ開きによる挿着をワンタッチで容易に行うことができ、さらに、好ましくは、本体軸とクリップとが一体形をなすようにして、デザイン的にすっきりさせて、意匠効果を高めることができるクリップ付き筆記具を提供することを目的とする。
【課題を解決するための手段】
【０００７】
上記課題は、「特許請求の範囲」の欄における各請求項に記載するように、次のような構成からなる発明によって解決される。
【０００８】
（１）本体軸の外周部上面に、本体軸後端側から前方に向けて延びるクリップを配置するとともに、このクリップの後端部を本体軸に軸支して、付勢手段により、前記クリップの前端部側が本体軸の外周部上面に弾圧接状態となるように、クリップ閉じ方向に付勢したクリップ付き筆記具において、クリップの後端部を、本体軸後端の上面後方から下面前方に向けて回り込ませることにより、側面視ほぼ平仮名「つ」字状に形成し、このクリップの後端部によって、本体軸後方の軸頭部を形成し、かつ前記下面前方に向けて回り込ませた折返し端部を第１操作摘み手とするとともに、本体軸の後端上面に固定突起を形成し、この固定突起を第２操作摘み手とし、かつ前記第１操作摘み手と第２操作摘み手とを摘み持って、前記付勢手段の付勢力に抗して、互いに挟圧する方向に押圧することにより、クリップを軸支部を支点として回動させて、前記クリップの少なくとも前端部側が本体軸の外周部上面から離間しうるようにする。
【０００９】
（２）上記(１)項において、第１操作摘み手を形成するクリップの折返し端部を、前方に向けて下降傾斜させる。
【００１０】
（３）上記(１)項または(２)項において、第２操作摘み手を形成する本体軸の後端上面における固定突起の上端部を、クリップに開口された通孔を貫通して、上方に向けて突出させる。
【００１１】
（４）上記(１)〜（３）項のいずれかにおいて、付勢手段を、本体軸の後端下面と、第１操作摘み手を形成するクリップの折返し端部との間に介装させる。
【００１２】
（５）上記(１)〜（４）項のいずれかにおいて、固定突起に、左右方向に貫通しかつ上下方向に延びる長孔を設け、この長孔に、クリップの後端部が軸支される支軸を上下方向に摺動可能に挿通する。
【００１３】
（６）上記(５）項において、付勢手段のクリップに対する作用点を、支軸に軸支されたクリップ後端部の軸支点よりも本体軸後方側に位置させる。
【００１４】
（７）上記(１)〜（６）項のいずれかにおいて、本体軸の外周部上面に、クリップの前記外周部上面に対向する部分に対応する位置に、前後方向に向けて延びる平面部を、側面視において、本体軸の外周部をクリップのほぼ厚さ分だけ段差を設けて凹ませて形成するとともに、この平面部に、前記クリップの対向する部分を隙間なく当接させて、クリップが本体軸外周部の一部をなすようにする。
【発明の効果】
【００１５】
本発明によると、次のような効果が奏せられる。
請求項１記載の発明によれば、クリップの後端部を、本体軸後端の上面後方から下面前方に向けて回り込ませることにより、側面視ほぼ平仮名「つ」字状に形成し、このクリップの後端部によって、本体軸後方の軸頭部を形成してあるため、クリップ後端部を、本体軸後端に向けて可及的に近接する位置に軸支することができ、ポケット等に挿着したときに、本体軸後方における軸頭部の外部への突出を可及的に少なくすることができ、これにより、外観の体裁を良好することができる。
また、下面前方に向けて回り込ませた折返し端部を第１操作摘み手とするとともに、本体軸の後端上面に固定突起を形成し、この固定突起を第２操作摘み手とし、かつ第１操作摘み手と第２操作摘み手とを摘み持って、付勢手段の付勢力に抗して、互いに挟圧する方向に押圧することにより、クリップの軸支部を支点として回動させて、クリップの少なくとも前端部側が本体軸の外周部上面から離間しうるようにしてあるので、不使用時に、ポケット等に挿着するときに、クリップ開きによる挿着をワンタッチで容易に行うことができる。
【００１６】
請求項２記載の発明によれば、第１操作摘み手を形成するクリップの折返し端部を、前方に向けて下降傾斜させてあるので、クリップの軸支部を支点とする回動操作を円滑に行うことができる。
【００１７】
請求項３記載の発明によれば、第２操作摘み手を形成する本体軸の後端上面における固定突起の上端部を、クリップの後端部上面に開口した通孔に貫通させることにより、上方に向けて突出させてあるので、クリップの軸支部を支点とする回動操作を円滑に行うことができる。
【００１８】
請求項４記載の発明によれば、付勢手段を、本体軸の後端下面と第１操作摘み手を形成するクリップの折返し端部との間に介装してあるので、従来のように、クリップの軸支部分の後方における本体軸の後端上面とクリップの後端下面との間に介装したものと比較して、付勢手段が、ポケット等への挿着時の邪魔にならないため、クリップ後端部を、本体軸後端に向けて可及的に近接する位置に軸支することができる。
【００１９】
請求項５載の発明によれば、固定突起に、左右方向に貫通しかつ上下方向に延びる長孔を設け、この長孔に、クリップの後端部が軸支される支軸を上下方向に摺動可能に挿通してあるので、不使用時に、第１操作摘み手と第２操作摘み手とを摘み持って、互いに挟圧する方向に押圧したときに、クリップの下面を、本体軸の外周部上面から容易に離間させることができる。
【００２０】
請求項６記載の発明によれば、付勢手段のクリップに対する作用点を、支軸に軸支されたクリップ後端部の軸支点よりも本体軸後方側に位置させてあるため、クリップの下面を、本体軸の外周部上面から確実に離間させ、クリップを容易に開いた状態とすることができる。
【００２１】
請求項７記載の発明によれば、本体軸の外周部上面に、クリップの外周部上面に対向する部分に対応する位置に、前後方向に向けて延びる平面部を、側面視において、本体軸の外周部をクリップのほぼ厚さ分だけ段差を設けて凹ませて形成するとともに、この平面部に、クリップの対向する部分を隙間なく当接させて、クリップが本体軸外周部の一部をなすようにしてあるので、デザイン的にすっきりさせることができ、意匠効果を高めることができる。
【発明を実施するための最良の形態】
【００２２】
以下、本発明の実施形態を、図面に基づいて詳細に説明する。
図１は、本発明の第１実施形態におけるボールペンの筆記時の使用状態を示す全体斜視図、図２は、クリップを閉じた状態を示す縦断面図、図３は、図２におけるIII−III線の縦断面図、図４は、クリップを開いた状態を示す縦断面図、図５は、同じく、指先のワンタッチ操作によりクリップを開いた状態を示す斜視図である。
【００２３】
本発明の筆記具は、ボールペン、シャープペンシル、マーキングペン、万年筆等を総称するものであるが、実施形態では、ノック式ボールペンを例にとって説明する。
なお、以下の説明において、本体軸におけるペン先側を前方、ノック栓側を後方とし、また、本体軸の外周面のうち、クリップが取り付けられた面側を上面とする。
【００２４】
図１に示すように、本発明のノック式ボールペン１は、本体軸２と、この本体軸の前端部２ａに装着された口先部３と、本体軸２の後端部２ｂに取り付けられたクリップ４とを有する。
本体軸２は、適宜の長さ、例えば筆記時に、その前端部２ａ側を人差し指と親指とで摘んだ際に、その後端部２ｂ側が、人差し指と親指との間の付け根に届くのに必要な最短の長さ、例えば約９ｃｍの長さを有する。
クリップ４は、その前後両端部４ａ，４ｂ間の長さが、本体軸２の外周部上面の前後方向に沿って、本体軸２の後端部２ｂから、その前端部２ａ近くまで至る長さ、例えば約６．５ｃｍの長さを有している。                                                                                                                                                                                                                                                                                                                                                                                             
【００２５】
本体軸２には、図２に示すように、リフィールユニット５が内蔵されており、このリフィールユニット５は、リフィール６とリフィールホルダ７とから構成されている。リフィールユニット５は、本体軸２の後端部２ｂから外部に突出させたノック栓８の押込み操作により作動させられるノック機構をもって、そのペン先９が、リターンスプリング１０の付勢力に抗して、口先部３内から突出されるとともに、後記するクリップ４の解除操作により、リターンスプリング１０の付勢力により、口先部３内に格納されるようになっている。
なお、ノック機構は、ノック式筆記具において従来広く使用されている周知のノック機構、すなわち、特公昭３４−７１８１号公報により開示されたカール氏の発明によるノック機構と実質的に同一であるので、その説明は省略する。
【００２６】
本体軸２の外周部上面には、クリップ４の前記外周部上面に対向する部分に対応する位置に、前後方向に向けて延びる平面部１１が、側面視において、本体軸２の外周部をクリップ４のほぼ厚さ分だけ段差を設けて凹ませて形成され、この平面部１１に、クリップ４の下面４ｃの対向する部分を隙間なく当接させるようにして、クリップ４が本体軸２の外周部の一部をなすようにしてある。
【００２７】
クリップ４は、その後端部４ｂを、本体軸２における後端の上面２ｃ後方から下面２ｄ前方に向けて回り込ませるとともに、この下面前方に向けて回り込ませた折返し端部４ｄを、前方に向け下降傾斜させることにより、クリップ４の後端部４ｂを側面視ほぼ平仮名「つ」字状に形成し、かつこのクリップ４の後端部４ｂによって、本体軸２後方に軸頭部１２が形成されている。
本体軸２の後端部２ｂから後方に向けて突出させたノック栓８は、本体軸２後方における軸頭部１２の後面に穿設した通孔１３を貫通して、外部に突出している。
【００２８】
クリップ４の軸頭部１２の左右両側部は、図３に示すように、左右１対の支軸１４，１４をもって、本体軸２の後端に軸支されており、これら支軸１４，１４を支点として、図４に示すように、クリップ４の前端部４ａ側を、本体軸２の外周部上面から上方に向けて離間しうるように、回動可能になっている。
【００２９】
本体軸２の後端下面２ｄとクリップ４の折返し端部４ｄとの間には、側面視において前方に開口する平仮名「く」字形状に屈曲した板ばね１５が介装されて配設されている。
この板ばね１５は、クリップ４の前端部４ａ側が本体軸２の外周部上面に弾圧接状態となるように、常にクリップ４を閉じる方向に付勢している。
【００３０】
本体軸２の後端上面２ｃには、本体軸２を間に位置させて、クリップ４における折返し端部４ｄに対向するように、上向きの固定突起１６が形成されている。
この固定突起１６の上端部１６ａは、クリップ４の後端部４ｂ側上面に開口された通孔１７を貫通して上方に向けて突出されている。
【００３１】
クリップ４の開閉操作は、次のようにして行う。
すなわち、クリップ４の軸頭部１２における折返し端部４ｄを第１操作摘み手Ａとし、前記固定突起１６を第２操作摘み手Ｂとし、図５に示すように、例えば、第１操作摘み手Ａに親指、第２操作摘み手Ｂに人差し指をそれぞれ当てがい、両指をもって、板ばね１５の付勢力に抗して、矢印Ｘで示す互いに挟圧する方向に押圧することにより、第１操作摘み手Ａを、支軸１４を回動中心として、上方に向けて回動させる。
これにより、クリップ４の前端部４ａ側が本体軸２の外周部上面から離間し、ワンタッチで容易にクリップ４を開いた状態とすることができる。
【００３２】
図６は、不使用時におけるボールペン１のポケットＰへの挿着状態を示す要部斜視図である。
【００３３】
図６に示すように、前記クリップ４を開いた状態とし、次いで、ポケットＰへ挿着して手を離すことにより、本体軸２後方の軸頭部１２の外部への突出が可及的に少なくなる状態で、挿着することができる。
【００３４】
一方、図１、図２に示すような使用時においては、図示しないストッパー機構を介して、リフィール６がリターンスプリング１０の付勢力に抗して係止し、使用時におけるペン先９の突出状態が維持される。
また、ペン先９の突出状態において、図４、図５に示すように、クリップ４を開く方向へ操作したときには、リフィール６の係止状態が解除され、リターンスプリング１０の付勢力により、リフィールユニット５が後方に移動すると同時に、ペン先９が口先部３内の格納位置に移動し、不使用状態となる。
【００３５】
図７は、本発明の第２実施形態におけるボールペンのクリップを閉じた状態を示す縦断側面図、図８は、同じく、クリップを開いた状態を示す縦断面図である。
【００３６】
図７に示すように、本体軸１８における後端部１８ａの外周部上面に突出した固定突起１９には、左右方向に貫通しかつ上下方向に延びる長孔２０が設けられ、この長孔２０に支軸２１が上下方向に摺動可能に挿通されて、クリップ２２の後端部２２ａが軸支されているとともに、本体軸１８の後端下面と、軸頭部２３の折返し端部２３ａとの間に介装した圧縮スプリング２４が配設されている。
【００３７】
不使用時に、図５に示す第１実施形態と同様にして、クリップ２２の軸頭部２３における折返し端部２３ａによって形成される第１操作摘み手Ａと、本体軸１８後端に突出した固定突起１９によって形成される第２操作摘み手Ｂとを摘み持って、圧縮スプリング２４の付勢力に抗して、互いに挟圧する方向Ｘに押圧したとき、図８に示すように、クリップ２２が、支軸２１を中心とする上方へ回動すると共に、長孔２０に沿う支軸２１の上方への移動し、クリップ２２の少なくとも前端部２２ｂを含む下面２２ｃが、本体軸１８の外周部上面の平面部２５から離間し、クリップ２２が開いた状態となる。
この場合、圧縮スプリング２４は、クリップ２２に対する作用点Ｃを、クリップ２２後端部の軸支点Ｄよりも本体軸１８後方側に位置させることにより、クリップ２２の下面２２ｃを本体軸１８の外周部上面から円滑に離間させ、クリップ２２を容易に開いた状態とすることができる。
【図面の簡単な説明】
【００３８】
【図１】本発明の第１実施形態におけるボールペンの筆記時の使用状態を示す全体斜視図である。
【図２】クリップを閉じた状態を示す縦断面図である。
【図３】図２におけるII−II線の縦断面図である。
【図４】クリップを開いた状態を示す縦断面図である。
【図５】同じく、指先のワンタッチ操作によりクリップを開いた状態を示す斜視図である。
【図６】不使用時におけるボールペンのポケットへの挿着状態を示す要部斜視図である。
【図７】本発明の第２実施形態におけるボールペンのクリップを閉じた状態を示す縦断側面図である。
【図８】同じく、クリップを開いた状態を示す縦断面図である。
【符号の説明】
【００３９】
１    ノック式ボールペン(筆記具)
２    本体軸
２ａ  前端部
２ｂ  後端部
２ｃ  後端側上面
２ｄ  後端側下面
３    口先部 
４    クリップ
４ａ  前端部
４ｂ  後端部
４ｃ  下面
４ｄ  折返し端部（第１操作摘み手Ａ）
５    リフィールユニット
６    リフィール
７    リフィールホルダ
８    ノック栓
９    ペン先
１０  リターンスプリング
１１  平面部
１２  軸頭部
１３  通孔
１４  支軸
１５  板ばね（付勢手段）
１６  固定突起
１６ａ  上端部（第２操作摘み手Ｂ）
１７  通孔
１８  本体軸
１８ａ  後端部
１９  固定突起（第２操作摘み手Ｂ）
２０  長孔
２１  支軸
２２  クリップ
２２ａ  後端部
２２ｂ  前端部
２２ｃ  下面
２３  軸頭部
２３ａ  折返し端部（第１操作摘み手Ａ）
２４  圧縮スプリング
２５  平面部
Ｃ    作用点  
Ｄ    軸支点
Ｘ    挟圧する方向
【図１】
2010046892.tif 000003
【図２】
2010046892.tif 000004
【図３】
2010046892.tif 000005
【図４】
2010046892.tif 000006
【図５】
2010046892.tif 000007
【図６】
2010046892.tif 000008
【図７】
2010046892.tif 000009
【図８】
2010046892.tif 000010